(57)【要約】      （修正有）【課題】飲用水包装容器の内部の飲用水を冷却する冷却装置を提供する。【解決手段】基座１および蒸発器２が含まれる。基座１には飲用水包装容器３を載置するための載置面１１が形成され、さらに基材１の内部にはコンデンサーユニットが設けられる。蒸発器２は基座１の載置面１１に設けられるとともに、コンデンサーユニットと連通するように形成され、蒸発器２には殻体２１と少なくとも一個の導流片が形成され、殻体２１の外周面には温度伝導面２１１が形成され、導流片は殻体２１の内部に形成されることにより、迂回の流路が形成されるように構成されている。【選択図】図２
0003143183.tif 000002
【実用新案登録請求の範囲】
【請求項１】
基座（１）および蒸発器（２）が含まれる飲用水包装容器専用の冷却装置であって、基座（１）には飲用水包装容器（３）を載置するための載置面（１１）が形成され、さらに基座（１）の内部にはコンデンサーユニットが設けられ、蒸発器（２）は基座（１）の載置面（１１）に設けられるとともに、上記コンデンサーユニットと連通するように形成され、蒸発器（２）には殻体（２１）と少なくとも一個の導流片（２２）が形成され、殻体（２１）の外周面には温度伝導面（２１１）が形成され、導流片（２２）は殻体（２１）の内部に形成されることにより、迂回の流路が形成されることを特徴とする飲用水包装容器専用の冷却装置。
【請求項２】
基座（１）の載置面（１１）の一方の周縁には止め板（１２）が設けられ、止め板（１２）の上端縁には位置決め溝（１２１）が設けられることを特徴とする請求項１記載の飲用水包装容器専用の冷却装置。
【請求項３】
基座（１）の側面には水受け盤（１３）が設けられることを特徴とする請求項２記載の飲用水包装容器専用の冷却装置。
【請求項４】
蒸発器（２）には導入管（２３）と導出管（２４）が設けられ、導入管（２３）と導出管（２４）はそれぞれ基座（１）の内部まで貫穿して上記コンデンサーユニットを連通するように形成され、さらに導出管（２４）の一端は殻体（２１）の内部まで挿入するように形成されることを特徴とする請求項１、２または３記載の飲用水包装容器専用の冷却装置。
【考案の詳細な説明】
【技術分野】
【０００１】
本考案は、冷却装置に関するもので、特に、飲用水包装容器専用の冷却装置に係るものである。
【背景技術】
【０００２】
従来の飲用水包装容器としては、例えば中華民国新型公告第１７８８０３号の「蒸留水包装容器の新構造」においては、飲用水包装容器には盒体および充填袋が含まれる。上記盒体の下端には開口が設けられ、上記充填袋は上記盒体の内部に収容されて飲用水を充填するのに用いられ、さらに上記充填袋には上記盒体の開口から伸出するように出水口が設けられる。上記飲用水包装容器は上記盒体を支持体として運ぶのに役立ちすることができるとともに、上記充填袋が破れるのを保護することができるようにとしたものがある（例えば、特許文献１を参照）。
【特許文献１】中華民国新型公告第１７８８０３号
【考案の開示】
【考案が解決しようとする課題】
【０００３】
上記のような従来の飲用水包装容器においては、一般として下記の問題点を有している。例えば、上記従来の飲用水包装容器に収容される飲用水の温度は常温である。このため、飲用者が冷たい飲用水を飲用しようとする時、飲用者は先ず上記充填袋の出水口から飲用水を取り出し、そして容器の中に入れなければならず、それから上記飲用水を入れてある容器を冷蔵室または冷凍庫の中に入れて冷却し、或いは余分に氷を造って上記飲用水を入れてある容器の中に入れて上記飲用水を冷却しなければならなかった。そのため、飲用者にとっては大変不便になるとともに、上記冷却の過程では時間が掛かり、飲用者が直ちに冷たい飲用水を飲むことができず、飲用者の飲用の品質に影響を及ぼしてしまうという問題点を有する。このように、上記のような従来の飲用水包装容器の構造をさらに改良する必要があった。
【０００４】
本考案の第一の目的は、基座に飲用水包装容器を載置し、蒸発器を利用して上記飲用水包装容器の予冷口を通過させることにより、上記飲用水包装容器の内部の飲用水を冷却することができる飲用水包装容器専用の冷却装置を提供しようとするものである。
【０００５】
本考案の第二の目的は、蒸発器に殻体と少なくとも一個の導流片を設け、上記少なくとも一個の導流片は上記殻体の内部に設けられることにより、上記殻体の内部には迂回の冷却剤の流路が形成され、上記冷却剤が上記蒸発器の内部における循環流動の時間を延ばすことができるため、冷却の効果を増やすことができる飲用水包装容器専用の冷却装置を提供しようとするものである。
【０００６】
本考案の第三の目的は、基座の載置面に蒸発器を設け、上記基座の載置面の一方の周縁に止め板を設け、上記止め板により上記飲用水包装容器が飲用水を冷却する時、飲用水包装容器を安定して脱落することなく載置することができるため、使用上の安全性を高めることができる飲用水包装容器専用の冷却装置を提供しようとするものである。
【課題を解決するための手段】
【０００７】
上記目的を達成するために、本考案による飲用水包装容器専用の冷却装置は、下記のようになるものである。すなわち、
基座および蒸発器が含まれる。基座には飲用水包装容器を載置するための載置面が形成され、さらに基材の内部にはコンデンサーユニットが設けられる。蒸発器は基座の載置面に設けられるとともに、コンデンサーユニットと連通するように形成され、蒸発器には殻体と少なくとも一個の導流片が形成され、殻体の外周面には温度伝導面が形成され、導流片は殻体の内部に形成されることにより、迂回の流路が形成される。
【０００８】
本考案による飲用水包装容器専用の冷却装置は、基座の載置面の一方の周縁には止め板が設けられ、止め板の上端縁には位置決め溝が設けられることもできる。また、基座の側面には水受け盤が設けられることもできる。また、蒸発器には導入管と導出管が設けられ、導入管と導出管はそれぞれ基座の内部まで貫穿して上記コンデンサーユニットを連通するように形成され、さらに導出管の一端は殻体の内部まで挿入するように形成されることもできる。
【考案の効果】
【０００９】
本考案の飲用水包装容器専用の冷却装置によれば、基座に飲用水包装容器を載置し、蒸発器を利用して上記飲用水包装容器の予冷口を通過させることにより、上記飲用水包装容器の内部の飲用水を冷却することができるという利点がある。
【００１０】
本考案の飲用水包装容器専用の冷却装置によれば、蒸発器に殻体と少なくとも一個の導流片を設け、上記少なくとも一個の導流片は上記殻体の内部に設けられることにより、上記殻体の内部には迂回の冷却剤の流路が形成され、上記冷却剤が上記蒸発器の内部における循環流動の時間を延ばすことができるため、冷却の効果を増やすことができるという利点がある。
【００１１】
本考案の飲用水包装容器専用の冷却装置によれば、基座の載置面に蒸発器を設け、上記基座の載置面の一方の周縁に止め板を設け、上記止め板により上記飲用水包装容器が飲用水を冷却する時、飲用水包装容器を安定して脱落することなく載置することができるため、使用上の安全性を高めることができるという利点がある。
【考案を実施するための最良の形態】
【００１２】
本考案の実施の形態について、以下、図面を参照して説明する。
【００１３】
図１を参照すると、本考案の実施例の飲用水包装容器専用の冷却装置には基座１および蒸発器２が含まれる。
【００１４】
基座１は中空体からなり、基座１には載置面１１が形成され、載置面１１の一方の周縁には止め板１２が設けられ、止め板１２の上端縁には位置決め溝１２１が設けられ、そして基座１の止め板１２に近接する側面には水受け盤１３が設けられる。他に、基座１の内部にはコンデンサーユニット（図示せず）が設けられ、上記コンデンサーユニットは主に冷却剤の循環流動を制御するのに、さらに冷却剤の温度を下げるのに用いられ、例えば上記コンデンサーユニットは好ましくは複数個の管路を利用して冷却剤制御器、乾燥器、コンデンサーとコンプレッサーを順序よく互いに連接することにより、冷凍循環のシステムを形成する。
【００１５】
蒸発器２は基座１の載置面１１に設けられ、蒸発器２には殻体２１、少なくとも一個の導流片２２、導入管２３と導出管２４が形成される。殻体２１は冷却剤が循環して流通するのに用いられ、殻体２１の外周壁は温度伝導面２１１からなり、上記冷却剤の温度は温度伝導面２１１の伝導により冷却の作用を提供することができる。殻体２１は好ましくは中空の楕円形の球体からなるため、比較的大きい面積の温度伝導面２１１を提供することができる。
【００１６】
導流片２２は殻体２１の内部に設けられ、導流片２２により殻体２１の内部において迂回の流路が形成されるため、冷却剤が殻体２１の内部における循環流動の時間を延ばすことができる。導流片２２は好ましくは二個であり、二個の導流片２２の一部分の周縁は殻体２１の内周壁とは接合するように形成され、さらに二個の導流片２２と殻体２１の内周壁との間にはそれぞれ通路２２１が形成され、二個の導流片２２の通路２２１は位置がずれるように設置されるため、二個の導流片２２の止める作用により、さらに位置がずれるように設置される二個の通路２２１により、冷却剤が蒸発器２の内部における循環流動の時間を延ばすことができるとともに、上述した迂回の流路を形成することができる。
【００１７】
導入管２３と導出管２４はそれぞれ殻体２１の内部と連通するように形成され、導出管２４の一端は好ましくは殻体２１の内部まで挿入するように形成され、そして同様に冷却剤が蒸発器２における循環流動の時間を延ばすことができる。蒸発器２の導入管２３と導出管２４はそれぞれ基座１の内部まで貫穿して上記コンデンサーユニットと連通するように形成され、上記コンデンサーユニットにより上記冷却剤が導入管２３と導出管２４を経由して蒸発器２と上記コンプレッサーユニットとの間に循環流動するのを制御することができる。
【００１８】
図２を参照すると、本考案の実施例の飲用水包装容器専用の冷却装置は主に飲用水包装容器３の内部の飲用水を冷却するのに用いられる。飲用水包装容器３には包装盒３１、水袋３２と出水管３３が形成される。包装盒３１の底面には予冷口３１１が設けられ、水袋３２は包装盒３１の内部に設けられて飲用水を充填するのに用いられ、出水管３３の一端は水袋３２の内部まで貫穿するように形成され、そして他端は包装盒３１の外部まで突き出るように形成されることにより、出水管３３により水袋３２の内部の飲用水が流出するのを制御することができる。実際に使用する時、飲用水包装容器３を基座１の載置面１１に載置させ、蒸発器２を飲用水包装容器３の予冷口３１１を通過させ、それから飲用水包装容器３の出水管３３を基座１の止め板１２の位置決め溝１２１に嵌入させ、そして飲用水包装容器３を完全に安定して基材１の上に載置させることにより、冷却の過程を行うことができる。
【００１９】
図３、４を参照すると、本考案の実施例の飲用水包装容器専用の冷却装置の上に飲用水包装容器３が載置される時、飲用水包装容器３の水袋３２は蒸発器２の温度伝導面２１１に貼接するように形成されることにより、さらに基座１の内部のコンデンサーユニットを利用して冷却剤が絶えることなく蒸発器２の内部において循環流動するのを制御することにより、飲用水包装容器３の飲用水を冷却することができる。
【産業上の利用可能性】
【００２０】
上述の如く、従来の飲用水包装容器によれば、飲用水包装容器に収容される飲用水の温度は常温であり、飲用者が冷たい飲用水を飲用しようとする時、飲用者は飲用水を入れてある容器を冷蔵室または冷凍庫の中に入れて冷却しなければならないため、飲用者にとっては大変不便になるという問題点があったが、図１に示す本考案の飲用水包装容器専用の冷却装置によれば、蒸発器２は飲用水包装容器３の予冷口３１１を通過して飲用水包装容器３の内部の飲用水を冷却することができる。また、蒸発器２の少なくとも一個の導流片２２が殻体２１の内部に設けられ、殻体２１の内部において迂回の流路が形成されることにより、冷却剤が蒸発器２の内部における循環流動の時間を延ばすことができるため、冷却の効果を増やすことができる。さらに、基座１の載置面１１の一方の周縁には止め板１２が設けられ、止め板１２により飲用水包装容器３が飲用水を冷却する時に基材１の載置面１１において脱落することなく安定して載置することができるため、使用上の安全性を高めることができる。
【００２１】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２２】
【図１】本考案の実施例の飲用水包装容器専用の冷却装置による斜視図である。
【図２】本考案の実施例の飲用水包装容器専用の冷却装置による使用状態の斜視図である。
【図３】本考案の実施例の飲用水包装容器専用の冷却装置による側面図である。
【図４】本考案の実施例の飲用水包装容器専用の冷却装置による蒸発器の拡大図である。
【符号の説明】
【００２３】
１    基座                          １１    載置面
１２    止め板                      １２１    位置決め溝
１３    水受け盤                        ２    蒸発器
２１    殻体                        ２１１    温度伝導面
２２    導流片                      ２２１    通路
２３    導入管                        ２４    導出管
３    飲用水包装容器                ３１    包装盒
３１１    予冷口                        ３２    水袋
３３    出水管
【図１】
0003143183.tif 000003
【図２】
0003143183.tif 000004
【図３】
0003143183.tif 000005
【図４】
0003143183.tif 000006